(57)【要約】【課題】  小形化及び軽量化を実現し、外部電源の利用及び旅行ツアーガイド、視察、案内・商品説明、同時通訳など多様な用途に好適させる。【解決手段】  箱形本体１の第１区画１６内には、２階建て構成の小型回路基板１５ａを表面の一部に備えた回路基板１５が配置される。第２区画１７内には、箱形本体１の一方の最大面から凹むように構成される電池ボックス１０が配置され、電池蓋９によって開閉する。電源オン／オフ回路２４は、逆流防止機能を有するトランジスタ回路２４ａが付加されている。送信機側には、マイクロホン３０に対応する第１入力ジャック３及び、外部入力電源３１に対応する第２入力ジャック８、受信機側には、イヤホン６３に対応する第１出力ジャック４７及び、外部出力電源６４に対応する第２出力ジャック４７がそれぞれ設けられ、チャンネルスイッチ７は、ＣＳ回路３６によって多数切換えが可能になっている。【選択図】  図１
2006295865.tif 000002
【特許請求の範囲】
【請求項１】
一対の半割部材からなる箱形本体の第１区画内には、送信用の内臓アンテナ及び集積回路を搭載した回路基板が配置され、第２区画内には、２本の直流乾電池を並置装填することにより通電可能にした電池ボックスが配置されている携帯用送信機において、
前記回路基板は、表裏面の両方に集積回路が搭載され、しかも表面側に設けた２階建て構成の小型回路基板にも集積回路が搭載され、
前記電池ボックスは、箱形本体の一方の最大面側で凹むように構成され、しかも電池蓋によって開閉可能になっており、
前記送信用の集積回路は、電源スイッチ、マイクロホン対応の第１入力ジャック、外部電源入力対応の第２ジャック及び、多数切換え可能なチャンネルスイッチがそれぞれ機能するように接続されていることを特徴とする携帯用送信機。
【請求項２】
前記乾電池による電源回路は、トランジスタ回路による逆流防止機能が付加されていることを特徴とする請求項１に記載の携帯用送信機。
【請求項３】
前記乾電池に対する電池消耗表示は、発光ダイオードによる色別が表示窓に映り出されることを特徴とする請求項１又は請求項２に記載の携帯用送信機。
【請求項４】
前記箱形本体には、第１入力ジャックに対し、予備として使用する内蔵マイク及び送話口が備えられていることを特徴とする請求項１〜請求項３に記載の携帯用送信機。
【請求項５】
一対の半割部材からなる箱形本体の第１区画内には、受信用の内臓アンテナ及び集積回路を搭載した回路基板が配置され、第２区画内には、２本の直流乾電池を並置装填することにより通電可能にした電池ボックスが配置されている携帯用受信機において、
前記回路基板は、表裏面の両方に集積回路が搭載され、しかも表面側に設けた２階建て構成の小型回路基板にも集積回路が搭載され、
前記電池ボックスは、箱形本体の一方の最大面側で凹むように構成され、しかも電池蓋によって開閉可能になっており、
前記受信用の集積回路は、音量調整兼用の電源スイッチ、イヤホン対応の第１出力ジャック、外部電源出力対応の第２出力ジャック及び、多数切換え可能なチャンネルスイッチがそれぞれ機能するように接続されていることを特徴とする携帯用受信機。
【請求項６】
前記乾電池による電源回路には、トランジスタ回路による逆流防止機能が付加されていることを特徴とする請求項５に記載の携帯用受信機。
【請求項７】
前記乾電池の電池消耗表示及びチャンネル選択表示は、発光ダイオードによる色別が表示窓に映り出されることを特徴とする請求項５又は請求項６に記載の携帯用受信機。
【請求項８】
一対の半割部材からなる箱形本体の第１区画内には、送信用の内臓アンテナ及び集積回路を搭載した回路基板が配置され、第２区画内には、２本の直流乾電池を並置装填することにより通電可能にした電池ボックスが配置されている携帯用送信機と、この携帯用送信機と対になる略同形状の箱形本体の第１区画内には、受信用の内臓アンテナ及び集積回路を搭載した回路基板が配置され、第２区画内には、２本の直流乾電池を並置装填することにより通電可能にした電池ボックスが配置されている携帯用送信機とから構成される携帯用送受信機において、
前記携帯用送信機及び携帯用受信機における回路基板は、表裏面の両方に集積回路が搭載され、しかも表面側に設けた２階建て構成の小型回路基板にも集積回路が搭載され、
前記携帯用送信機及び携帯用受信機における電池ボックスは、箱形本体の一方の最大面側で凹むように構成され、しかも電池蓋によって開閉可能になっており、
前記送信用の集積回路は、電源スイッチ、マイクロホン対応の第１入力ジャック、外部電源入力対応の第２ジャック及び、多数切換え可能なチャンネルスイッチがそれぞれ機能するように接続され、
前記受信用の集積回路は、音量調整兼用の電源スイッチ、イヤホン対応の第１出力ジャック、外部電源出力対応の第２出力ジャック及び、多数切換え可能なチャンネルスイッチがそれぞれ機能するように接続され、
前記第１入力ジャックに接続されたマイクロホン又は第２入力ジャックに接続された外部電源側では、前記送信チャンネル及び内蔵アンテナを通じて送信し、これに対する受信アンテナ及び内蔵アンテナ側では、送信チャンネルを検知・選択して、音声、音楽などの音響を聴くことができ、或いは録音することができることを特徴とする携帯用送受信機。
【請求項９】
前記携帯用送信機及び携帯用受信機における乾電池による電源回路は、トランジスタ回路による逆流防止機能が付加されていることを特徴とする請求項８に記載の携帯用送受信機。
【請求項１０】
前記携帯用送信機における電池消耗表示及び、前記携帯用受信機における電池消耗表示及びチャンネル選択表示は、発光ダイオードによる色別が表示窓に映り出されることを特徴とする請求項８又は請求項９に記載の携帯用送受信機。
【発明の詳細な説明】
【技術分野】
【０００１】  本発明は、携帯用送信機及び携帯用受信機並びに携帯用送受信機に関し、特に、小型・軽量化、操作の容易性及び外部電源の利用などを実現することにより、旅行ツアーガイド、現場視察、案内・商品説明、同時通訳など幅広い用途に適用できることを目的とするものであって、乾電池による小電力適用の集積回路で、多数切換え可能なチャンネルを装備し、また長期寿命を可能にした送受信技術に関する。
【背景技術】
【０００２】  従来、この種の携帯用送信機では、ラジオ受信機を応用したものが一般的である。そして、この種の機種では、低電圧の作動は、例えば直流電源電圧６ＶがＤＣ／ＤＣ変換器に付勢され、この電圧をさらに昇圧する同調回路が備えられる構成になっているため、その大きさ、用途などに限界がある。
また、集積回路を搭載した機種では、使い方の多様化を満たすことが要求されるため、回路基板の小型化、小電力で長期寿命が図れることなどが必要とされている。
【発明の開示】
【発明が解決しようとする課題】
【０００３】  解決しようとする問題点は、集積回路を搭載した回路基板が箱形本体内に組込まれるにあたって、多様な回路構成から小型化が難しい点にある。
また、乾電池については、基本的に市販品の使用からスペース問題には限界があるが、長期寿命を図る必要性及び電池切れの表示が問題点になっている。
さらに、付加的な機能として、使い方の多様性・応用性では、同時通訳などへの適用、現場案内等の音声を他機種例えばビデオカメラに出力するなどの応用性に欠ける問題点があった。
このため、本発明では、これらの問題点が基本的に解消されることを目的とし、また、操作部分については、できる限り通常の使用に合わせた形状にすることで操作の容易性が損なわれないことを目的としている。
【課題を解決するための手段】
【０００４】  本発明に係る請求項１記載の携帯用送信機は、一対の半割部材からなる箱形本体の第１区画内には、送信用の内臓アンテナ及び集積回路を搭載した回路基板が配置され、第２区画内には、２本の直流乾電池を並置装填することにより通電可能にした電池ボックスが配置されている携帯用送信機において、前記回路基板は、表裏面の両方に集積回路が搭載され、しかも表面側に設けた２階建て構成の小型回路基板にも集積回路が搭載され、前記電池ボックスは、箱形本体の一方の最大面側で凹むように構成され、しかも電池蓋によって開閉可能になっており、前記送信用の集積回路は、重源スイッチ、マイクロホン対応の第１入力ジャック、外部電源入力対応の第２入力ジャック及び、多数切換え可能なチャンネルスイッチがそれぞれ機能するように接続されていることを特徴とする携帯用送信機である。【０００５】  上記構成によれば、第１区画では、送信用の集積回路は、回路基板の表裏面の両方、さらには２階建て構成の小型回路基板にも搭載されるので、搭載面積が充分に確保され、しかも２階建ての小型回路基板に関係する厚みについては、他の場所で比較的大きな高さを占める可変抵抗器などの組込み用電子部品があったとしても、これに適合できる高さの範囲内に集積回路を搭載できる。このため、第１区画では、充分なスペースを確保でき、箱形本体の小型化が可能になる。
また、第２区画では、箱形本体の一方の最大面側には、電池ボックスが、凹むように構成されている。このため、電池蓋による操作性がよく、しかも前述した回路基板との組合せにおいても小型化を損なわない。
さらに、送信用の集積回路では、マイクロホン対応の第１入力ジャック及び外部電源入力対応の第２入力ジャックがそれぞれ備えられている。このため、マイクロホンの適用は勿論、外部電源として、ＭＰ３プレーヤ、ＭＤプレーヤ及びＣＤプレーヤなどを接続できるので、使い方が多様化する。【０００６】  請求項２記載の携帯用送信機では、前記乾電池による電源回路は、トランジスタ回路による逆流防止機能が付加されていることを特徴とする請求項１に記載の携帯用送信機である。
上記構成によれば、トランジスタ回路による逆流防止機能が付加されているため、誤操作で正負を逆に装填した場合でも、極端な電池消耗を防ぐことができる。【０００７】  請求項３記載の携帯用送信機では、前記乾電池に対する電池消耗表示は、発光ダイオードによる色別が表示窓に映り出されることを特徴とする請求項１又は請求項２に記載の携帯用送信機である。
上記構成によれば、発光ダイオードによる色別が表示窓に映り出される構成になっている。この機能は、グリーン及びレッドの発光ダイオードを回路中に組込めばよく、表示窓には、正常（グリーン）、消耗中（オレンジ）及び異常（レッド）による色別表示が可能になる。【０００８】  請求項４記載の携帯用送信機では、前記箱形本体には、第１入力ジャックに対し、予備として使用する内蔵マイク及び送話口が備えられていることを特徴とする請求項１〜請求項３に記載の携帯用送信機である。
上記構成によれば、予備の内臓マイク及び送話口が備えられているため、何らかの理由で第１入力ジャックが使用できない場合であっても、緊急使用できるものである。【０００９】  請求項５記載の携帯用受信機は、一対の半割部材からなる箱形本体の第１区画内には、受信用の内臓アンテナ及び集積回路を搭載した回路基板が配置され、第２区画内には、２本の直流乾電池を並置装填することにより通電可能にした電池ボックスが配置されている携帯用受信機において、前記回路基板は、表裏面の両方に集積回路が搭載され、しかも表面側に設けた２階建て構成の小型回路基板にも集積回路が搭載され、前記電池ボックスは、箱形本体の一方の最大面側で凹むように構成され、しかも電池蓋によって開閉可能になっており、前記受信用の集積回路は、音量調節兼用の電源スイッチ、イヤホン対応の第１出力ジャック、外部電源出力対応の第２出力ジャック及び、多数切換え可能なチャンネルスイッチがそれぞれ機能するように接続されていることを特徴とする携帯用受信機である。【００１０】  上記構成によれば、第１区画では、送信用の集積回路は、回路基板の表裏面の両方、さらには２階建て構成の小型回路基板にも搭載されるので、搭載面積が充分に確保され、しかも２階建ての小型回路基板に関係する厚みについては、他の場所で比較的大きな高さを占める可変抵抗器などの組込み用電子部品があったとしても、これに適合できる高さの範囲内に集積回路を搭載できる。このため、第１区画では、充分なスペースを確保でき、箱形本体の小型化が可能になる。
また、第２区画では、箱形本体の一方の最大面側には、電池ボックスが、凹むように構成されるため、電池蓋による操作性がよく、しかも前述した回路基板との組合せにおいても小型化を損なわない。
さらに、受信用の集積回路では、イヤホン対応の第１出力ジャック及び外部電源出力対応の第２出力ジャックがそれぞれ備えられている。このため、イヤホンの適用は勿論、外部電源として、ステレオ機器、ビデオカメラなどを接続すれば、携帯用送信機側又は外部電源からの音声、音楽などを聴たり、録音することができる。【００１１】  請求項６記載の携帯用受信機では、前記乾電池による電源回路には、トランジスタ回路による逆流防止機能が付加されていることを特徴とする請求項５に記載の携帯用送信機である。
上記構成によれば、トランジスタ回路による逆流防止機能が付加されているため、誤操作で正負を逆に装填した場合でも、極端な電池消耗を防ぐことができる。【００１２】  請求項７記載の携帯用受信機では、前記乾電池による電池消耗表示及びチャンネル選択表示は、発光ダイオードによる色別が表示窓に映し出されることを特徴とする請求項５又は請求項６に記載の携帯用送信機である。
上記構成によれば、電池消耗表示及びチャンネル選択表示は、発光ダイオードによる色別が表示窓に映り出される構成になっている。これらの機能を付加するには、グリーン及びレッドの発光ダイオードを回路中に組込めばよい。電池消耗表示では、正常（グリーン）、消耗中（オレンジ）及び異常（レッド）の色別表示が可能になる。チャンネル選択表示では、送信機側のチャンネルを検知・選択すれば、グリーンで色別表示される。【００１３】  請求項８記載の携帯用送受信機は、一対の半割部材からなる箱形本体の第１区画内には、送信用の内臓アンテナ及び集積回路を搭載した回路基板が配置され、第２区画内には、２本の直流乾電池を並置装填した電池ケースが配置されている携帯用送信機と、この携帯用送信機と対になる略同形状の箱形本体の第１区画内には、受信用の内臓アンテナ及び集積回路を搭載した回路基板が配置され、第２区画内には、２本の直流乾電池を並置装填することにより通電可能にした電池ボックスが配置されている携帯用受信機とから構成される携帯用の送受信機において、前記携帯用送信機及び携帯用受信機における回路基板は、表裏面の両方に集積回路が搭載され、しかも表面側に設けた２階建て構成の小型回路基板にも集積回路が搭載され、前記携帯用送信機及び携帯用受信機における電池ボックスは、箱形本体の一方の最大面側で凹むように構成され、しかも電池蓋によって開閉可能になっており、前記送信用の集積回路は、電源スイッチ、マイクロホン対応の第１入力ジャック、外部電源入力対応の第２入力ジャック及び、多数切換え可能なチャンネルスイッチがそれぞれ機能するように接続され、前記受信用の集積回路は、音量調節兼用の電源スイッチ、イヤホン対応の第１出力ジャック、外部電源出力対応の第２出力ジャック及び、多数切換え可能なチャンネルスイッチがそれぞれ機能するように接続され、前記第１入力ジャックに接続されたマイクロホン又は第２入力ジャックに接続された外部電源側では、前記送信チャンネル及び内蔵アンテナを通じて送信し、これに対する受信チャンネル及び内蔵アンテナ側では、送信チャンネルを検知・選択して、音声、音楽などの音響を聴くことができ、或いは録音できることを特徴とする携帯用受信機である。【００１４】  上記構成によれば、携帯用送信機及び携帯用受信機における第１区画では、送信用及び受信用の集積回路は、回路基板の表裏面の両方、さらには２階建て構成の小型回路基板にも搭載される。このため、搭載面積が充分に確保され、しかも２階建ての小型回路基板に関係する厚みについては、他の場所で比較的大きな高さを占める可変抵抗器などの組込み用電子部品があっても、これに適合できる高さの範囲内に集積回路を搭載できる。したがって、第１区画では、充分なスペースを確保でき、箱形本体の小型化が可能になる。
また、携帯用送信機及び携帯用受信機における第２区画では、箱形本体の一方の最大面側で電池ケースが凹むように配置されるため、また電池蓋による操作性がよく、しかも前述した回路基板との組合せにおいても小型化を損なわない。
さらに、送信用の集積回路では、マイクロホン対応の第１入力ジャック及び外部電源入力対応の第２入力ジャックがそれぞれ備えられ、これに対する受信用の集積回路では、イヤホン対応の第１出力ジャック及び外部電源出力対応の第２出力ジャックがそれぞれ備えられている。このため、通常のマイクロホン及びイヤホンによる送受信だけでなく、第２入力ジャックでは、ＭＰ３プレーヤ、ＭＤプレーヤ及びＣＤプレーヤなどによる使い方や、第２出力ジャックでは、ステレオ機器、ビデオカメラなどによる使い方ができるので、その用途が多様化する。
また、携帯用送信機及び携帯用受信機の集積回路では、多数切換えを可能にしたチャンネルスイッチが備えられている。したがって、携帯用送信機及び受信機は、同時に多数組み使用するようにしたマルチチャンネルシステムを採用すれば、チャンネルスイッチの切換えにより、同時通訳にも適用できる。【００１５】  請求項９記載の携帯用送受信機では、前記携帯用送信機及び携帯用受信機における乾電池による電源回路は、トランジスタ回路による逆流防止機能が付加されていることを特徴とする請求項８に記載の携帯用送信機である。
上記構成によれば、トランジスタ回路による逆流防止機能が付加されているため、誤操作で正負を逆に装填した場合でも、極端な電池消耗を防ぐことができる。【００１６】  請求項１０記載の携帯用送受信機では、前記携帯用送信機における電池消耗表示及び、前記携帯用受信機における電池消耗表示及びチャンネル選択表示は、発光ダイオードによる色別機能が表示窓に映し出されることを特徴とする請求項８又は請求項９に記載の携帯用送信機である。
上記構成によれば、携帯用送信機及び携帯用受信機は、発光ダイオードによる色別が表示窓に映り出されるため、電池消耗度の判定及び送信チャンネルの検知・選択が容易に行える。
【発明の効果】
【００１７】  本発明に係る携帯用送信機は、箱形本体内の第１区画には、集積回路を表面及び裏面に搭載した回路基板に対し、この回路基板の表面側で２階建て構成の小型回路基板を設け、この小型回路基板にも集積回路を搭載するようにしたものである。このため、回路基板の小型化が可能になって、箱形本体の小型化を達成できる利点を有する。この場合、箱形部材の半割部材について、合成樹脂、軽合金で製作することで軽量化も可能となる。
また、本発明に係る携帯用送信機は、箱形本体の第２区画には、箱形本休の一方の最大面側には、電池ボックスが凹むように構成されている。このため、電池蓋による操作性も良好である。
さらに、本発明に係る携帯用送信機は、マイクロホン対応の第１入力ジャックに対し、外部電源入力対応の第２入力ジャックが備えられるようにしたものである。このため、第２入力ジャックでは、ＭＰ３プレーヤ、ＭＤプレーヤ及びＣＤプレーヤなどの外部入力電源を接続できるので、使い方の多様化が図れる。【００１８】  また、本発明に係る携帯用受信機は、前述した携帯用送信機の回路基板と略同様な構成であることから、箱形本体の小型化が可能となり、電池ボックスの操作性も良好である。
また、本発明に係る携帯用受信機は、イヤホン対応の第１出力ジャックに対し、外部出力電源対応の第２出力ジャックが備えられるようにしたものである。このため、ステレオ機器、ビデオカメラなどに接続することができるので、同様に使い方の多様化が図れる。【００１９】  さらに、本発明に係る携帯用送受信機は、多数切換え可能な送受信用のチャンネルスイッチがそれぞれ機能するように備えられていることから、受信側では、チャンネルスイッチの切換えにより、送信チャンネルを検知・選択できるような構成になっている。このため、マルチチャンネル方式も採用することができ、同時通訳にも応用できる。つまり、送信側では、複数の送信機により、異なった送信チャンネルで複数の翻訳語を送信すれば、受信側では、チャンネルの切換えによる検知・選択により、受信者自身に適した翻訳語を聴くことができる。
【実施例１】
【００２０】  以下、本発明に係る携帯用送信機について、添付図面に基づいて詳細に説明する。図１は、本発明の第１実施形態に係る携帯用送信機を示す概念的な斜視図である。
第１実施形態の携帯用送信機は、一対の半割部材１ａ，１ｂからなる箱形本体１を有し、図１の上端に設けられた取付け板２には、マイクロホン対応の第１入力ジャック３、オン／オフ切換えの電源スイッチ４、表示窓５及び送話口６がそれぞれ設けられている。この場合、表示窓５は、オンの状態では、後述するように、発光ダイオードにより電池消耗度を色別表示するものであり、送話口６は、予備用の内臓マイクとともに緊急用として使用するものである。
また、箱形本体１の左側部の上方部分には、多数切換え可能なチャンネルスイッチ７及び外部電源（図示せず）を接続する第２入力ジャック８がそれぞれ設けられている。【００２１】  さらに、図２及び図３で示されるように、箱形本体１の最大面を構成する半割部材１ａ側には、電池蓋９を備えた電池ボックス１０が設けられている。この場合、図２は、携帯用送信機を示す背面図で、図３は、電池蓋９を外した状態を示す携帯送信機の背面図である。つまり、電池ボックス１０は、半割部材１ａ側を凹ました構成になっており、図３で示すように、２本の乾電池（市販の単４形１．５Ｖ）が組込まれる。また、半割部材１ａ，１ｂは、最終的には例えば六角穴付きの小ネジ１１及び取付け穴１２で一体化される。【００２２】  図４（ａ）（ｂ）（ｃ）は、電池蓋９を例示した説明図であり、図４（ａ）は、正面図、図４（ｂ）は、背面図、図４（ｃ）は、右側面図である。
電池蓋９は、その本体部分の側部には、電池ボックス１０の受入れ穴（図示せず）内に挿入される一対の突起９ａを有し、その反対側部には、電池ボックス１０の挿入穴１３内に位置するＶ字状の係止部分９ｂを備えている。つまり、この電池蓋９は、係止部分９ｂの弾発力を利用することにより、電池ボックス１０の開閉が行われる。
また、電池蓋９は、図４（ｂ）で示されるように、電池ボックス１０に対する取付け性及び剛性の配慮から、一対のガイド突起９ｃ及び補強突起９ｄが備えられている。
なお、図４（ａ）（ｂ）（ｃ）で例示する電池蓋９については、電池ボックス１０から取り外せる開閉方式を採用しているが、突起９ａに代えて蝶番などによる取り外せない開閉方式にすることも可能である。
図５は、図２（ａ）中のＡ−Ａ線に沿って得られる断面図（内部部品は省略）であり、箱形本体１には、ネックストラップ用の係止穴１４が形成されている。本発明の場合、箱形本体１は、ほぼ名刺大に小型化され、合成樹脂で構成した場合には、約８７．５ｇ（電池含まず）と軽量化されたことから形成したものである。【００２３】  図６は、本発明携帯用送信機について、前記箱形本体１の内部を概念的に示す説明図である。この場合、回路基板１５の表面側の一部において、２点鎖線で示された部分には、２階建てを構成する小型回路基板１５ａが備えられている。そして、小型回路基板１５ａは、回路基板１１の表面側ある電子部品を越えない高さ範囲内で集積回路が搭載される。
そして、この箱形本体１の内部では、集積回路を搭載した回路基板１５及び小型回路基板１５ａを配置する第１区画１６及び、前記電池ボックス１０を配置する第２区画１７が構成されるものである。
また、第２区画１７内では、前述したように電池ボックス１０が半割部材１ａを凹ませるように構成されるとともに、回路基板１５に対する区画壁１８が形成される。さらに、第２区画１７内では、一対の略コ字状の起立壁１９が形成され、この起立壁１９では、乾電池に対するリード線２０を挿入溝１９ａにより支持し、この挿入溝１９ａから突出するリード線１９の一端には、前記電池ボックス１０の接触板２１に向って通電可能となるようにスプリング２２が形成されている。
さらに、図７は、回路基板１５の裏面側を示した説明図であって、集積回路の搭載状況を例示したものである。【００２４】  ところで、前述した第１区画１６内に配置される回路基板１５には、前述した電源スイッチ４、第１入力ジャック３、第２入力ジャック８、チャンネルスイッチ７などを作動させる集積回路が搭載される。
図８は、本発明携帯用送信機の集積回路を概念的に示したブロック図である。このブロック図において、電源２３は、前述したように直流乾電池による小電源を適用したものである。このため、乾電池としては、市販品の単４（１．５Ｖ）２本を適用し、また本発明における空中線電力は、８００ＭＨｚ帯、１０ｍＷ以下を対象にしている。
本発明に係る携帯用送信機は、電源スイッチ４をオンすれば、電流は、電源オン／オフ回路２４から、１．８〜３．５Ｖの範囲で作動するように設定されたＤＣ／ＤＣコンバータ２５及び電圧を規制値例えば３．３Ｖに制御するレギュレータ２６を介してＶＣＯユニット２７に流れるようになっている。
このＶＯＣユニット２７は、外部から与えられる電圧で発振周波数を変化させるものであり、その発振回路には、可容量ダイオードＶＤ，トランジスタＱなどの電子部品がモジュール化されている。そして、本発明の携帯用送受信機では、８０６〜８１０ＭＨｚの範囲内で、しかも１６チャンネルの切換えが可能になっている。
また、前記電源オン／オフ回路２４は、乾電池の挿入にあたって遅延回路を構成しており、また正逆の装填間違いによる電池消耗の配慮から、図９で示すように、トランジスタ回路２４ａによる逆流防止機能を付加している。
図９において、電源オン／オフ回路２４は、電源２３からＤＣ／ＤＣコンバータ２５に至る間にあって、その回線には、トランジスタＱ１及びコンデンサＣ１，Ｃ２が備えられる。また、このトランジスタＱ１には、バイパスを構成するトランジスタ回路２４ａが付加されている。このトランジスタ回路２４ａは、過電流が流れたときに、スイッチＳのオンによってトランジスタＱ２が作動して逆方向電圧を付加する。このような配慮のない場合、乾電池を逆挿入すれば、例えばフューズを備えた回路では、即時に消耗し、またダイオードを備えた回路でも、約４０％消耗する。これに対し、本発明の回路では、約２０％消耗で済むことから再使用が可能である。
なお、トランジスタ回路２４ａ中には、抵抗Ｒ１，Ｒ２，Ｒ３，コンデンサＣ３，Ｃ４，Ｃ５及びダイオードＤが備えられている。
このような電源オン／オフ回路２４は、遅延回路を構成しており、また連続通電時間で約２０時間の寿命であって、対する比較品のダイオード回路では、約１２時間の寿命であった。したがって、本発明の電源オン／オフ回路２４は、比較品のダイオード回路に対して、約１．５倍以上の長期寿命を示した。
さらに、前記ＤＣ／ＤＣコンバータ２５には、電池消耗表示２８ができるように、発光ダイオード２９を作動させれば、発光色が、樹脂レンズ２９ａを介して、前記表示窓５に映り出される。
つまり、発光ダイオード２９は、図８で示すように、グリーンＧ及びレッドＲを備えれば、乾電池の消耗度によって発光ダイオード２９の電流値が変化し、三色表示が可能になる。つまり、本発明では、正常（グリーン）、消耗中（オレンジ）及び異常（レッド）の色別表示が可能になる。【００２５】  また、本発明の携帯用送信機では、第１入力ジャック３では、マイクロホン３０が接続され、また第２入力ジャック８では、外部入力電源３１が接続される。
そして、第１入力ジャック３側では、演算増幅回路３２ａを介して前記ＶＯＣユニット２７に接続される。この場合、演算増幅回路３２ａは、ＡＧＣによって増幅度の調整を行い、またＡＬＣによって最終段が歪む前に自動的にレベルを下げるように制御される。
なお、本発明の携帯用送信機は、第１入力ジャック３が何らかの理由で使用できない緊急の場合を想定している。つまり、この場合は、予備用の内臓マイク３３及び前記送話口６を設けることによって緊急的に対処することができる。
これに対し、外部入力電源３１は、ＭＰ３プレーヤ、ＭＤプレーヤ及びＣＤプレーヤなどを対象としている。そして、第２入力ジャック８側では、時定数５０μｓｅｃのプレエンファシス回路（図示せず）及びコンパンダ方式のコンプレッサによる演算増幅回路３２ｂを介してＶＯＣユニット２７に接続される。
また、前記演算増幅回路３２ａ，３２ｂからＶＯＣユニット２７に至る途中には、水晶発振子（図示せず）で信号周波数の精度を高めたトーンキー３４が設定されている。この場合、トーンキー３４の信号周波数は、８００ＭＨｚ帯として、３２．７６８ｋＨｚを適用している。
さらに、ＶＯＣユニット２７は、チャンネルスイッチ７に対するプログラムロム３５及びＣＳ回路３６を制御している。この場合、プログラムロム３５は、水晶発振子（図示せず）を備えたＰＬＬ発振回路３７によって発振周波数が自動的に修正され、安定した周波数を得るようにしている。そして、ＣＳ回路３６は、多数切換えのチャンネルセレクタを備えており、例えば１６チャンネルを可能にしている。
また、ＰＬＬ発振回路３７は、フィルタ（ＬＰＦ）３８ａ及びＶＯＣユニット２７に組込まれたフィルタ（ＢＰＦ）３８ｂを通すことで一定の高周波ＲＦが得られるようになっている。このため、ＶＯＣユニット２７には、可変容量ダイオードＶＤ、トランジスタＱなどがモジュール化されている。【００２６】  さらに、このＶＯＣユニット２７は、ドライバ３９によって発振された出力信号をパワーアンプ４０によって増幅する。
次いで、この出力信号は、一定範囲の周波数を通すフィルタ（ＢＰＦ）３８ｃを介して例えば、ループアンテナからなる送信用の内臓アンテナ４１から送信される。【００２７】  このようにして構成された携帯用送信機は、携帯用としての用途、目的から箱形本体１の小型化が要請されている。このため、回路基板としては、表裏面の両方に、集積回路を混在実装した回路基板１５に対し、その表面側の一部分に、２階建て構成の小型回路基板１５ａを備えるように構成している。
したがって、図６は、２階建て構成の小型回路基板１５ａを２点鎖線で示すようにしており、また回路基板１５の裏面については、図７で示すようにしている。【００２８】  回路基板１５及び小型回路基板１５ａにおける集積回路の搭載例については、図６〜図８を参照して説明すれば、以下のとおりである。
回路基板１５の表面側では、図６を参照すれば、金属カバー４２によって電気的、磁気的に分離されたＶＣＯユニット２７、電池消耗表示２８に関連する発光ダイオード２９、演算増幅器３２ａ、３２ｂ、内臓マイク３３、チャンネルスイッチ７を制御するＣＳ回路３６、電源スイッチ４に連動した可変抵抗器４３、水晶発振子４４ａを備えたＰＬＬ発振回路３７などが表面実装及び挿入実装によって搭載されている。
また、回路基板１５の裏面側では、図７を参照すれば、レギュレータ２６、プログラムラム３５などが表面実装及び挿入実装によって搭載されている。
さらに、２階建てを構成する小型回路基板１５ａでは、電源オン／オフ回路２４、ＤＣ／ＤＣコンバータ２５、変圧コイル４５などが搭載されている。
【実施例２】
【００２９】  次に、本発明の第２実施形態を説明するが、前述した第１実施形態と同様な構成部品には、同一符号を付して説明を省略または簡略化する。図９は、本発明の第２実施形態に係る携帯用受信機の外観を示す概念的な斜視図である。
第２実施形態に係る携帯用受信機は、図１０を参照して説明すれば、箱形本体１の上端にある取付け板２には、イヤホン対応の第１出力ジャック４６、オン／オフ切換え及び音量調節兼用の電源スイッチ４及び表示窓５がそれぞれ設けられている。
また、箱形本体１の上端側部には、チャンネルスイッチ７、外部入力電源（図示せず）を接続する第２出力ジャック４７が設けられている。【００３０】  図１１は、箱形本体１の第１区画１６内に組込まれる回路基板１５の表面側に搭載される受信用の集積回路における配置を例示し、また２階建て構成の小型回路基板１５ａに搭載される受信用の集積回路の配置を例示した説明図である。
これに対し、図１２は、回路基板１５の裏面側に搭載される集積回路の配置を例示した説明図である。
さらに、図１３は、図１１及び図１２に例示された受信用の集積回路の原理を説示した概念的なブロック図である。【００３１】  本発明に係る携帯用受信機の集積回路の原理については、図８との相違点を配慮しながら、図１３を参照して説明する。
本発明の携帯用受信機では、電源スイッチ４による電源消耗表示２８ａ及びチャンネルスイッチ７によるチャンネル選択表示２８ｂについては、マイクロコントローラユニット４８及び前述した発光ダイオード２９を利用して色別表示が制御される。
つまり、電源消耗表示２８ａは、携帯用送信機と同様であるが、チャンネルスイッチ７によるチャンネル選択表示２８ｂは、チャンネルの切換えによって、送信チャンネルの周波数に合致すれば、表示窓５では、グリーンが映り出されることにより検知できる。【００３２】  一方、本発明の携帯用受信機では、受信用の内臓アンテナ４９で受信した高周波ＲＦは、低ノイズアンプ５０、第１発振器５１ａ及び第２発振器５１ｂ経てＩＦ検波器５２によって、所定の中間周波ＩＦを得るようにしている。次いで、このＩＦ検波器５２からマイクロコントローラユニット４８に至る音声信号ラインでは、スケルチノイズカット５３によって雑音などが消去される。
なお、低ノイズアンプ５０では、予め絶縁フィルタＤＦを通過させ、第１発発振器５１ａでは、ハイパスフィルタＨＰＦ、第２発振器５１ｂでは、図１１で示される波形フィルタ５４を通過させている。また、定電圧ダイオード５５を接続させたＩＦ検波器５２では、セラミックフィルタ５６ａ，５６ｂを通過させるとともに、可聴周波数ＡＦを除外するようにしている。
さらに、マイクロコントローラユニット４８は、データライン及び制御ラインを構成するＰＬＬ周波シンセサイザ５７を接続している。この場合、ＰＬＬ周波シンセサイザ５７は、電圧制御発振器５８、ＬＰフィルタ５９ａ，５９ｂを基本とする回路が構成され、前述した第１発振器５１ａを制御する。
なお、ＰＬＬ周波数シンセサイザ５７及び第２発振器５１ｂでは、精度の高い発振回路とするため、図１１で示されるように、水晶発振子６０ａ，６０ｂがそれぞれ備えられるようになっている。【００３３】  前記第１出力ジャック４６は、マイクロコントローラユニット４８に対しては、オーディオパワーアンプ６１を介して接続され、第２出力ジャック４７は、オペアンプ６２ａ，６２ｂを介して接続されている。この場合、第１出力ジャック４６には、イヤホン６３、また第２ジャック４７には、ステレオ機器などの外部出力電源６４がそれぞれ選択的に接続される。【００３４】  また、音量調節は、マイクロコントローラユニット４８から、トーンライン及びノイズカット制御ラインとして接続されることにより制御される。そして、トーンコントロール６５は、圧縮された信号波を正常波に戻すエキスパンダ６６及び増幅作用をなすオペアンプ６７ａ，６７ｂを利用して制御回路を構成するようにしている。
また、トーンコントロール６５は、ＭＣＵ２で示す第２マイクロコントローラユニット６８によっても制御され、前述したように電源スイッチ４のオンに連動して音量が調節されるようになっている。なお、トーンコントロール６５は、スケルチノイズカット５３及び送信機側のトーンキー３４にそれぞれ関連して制御される。【００３５】  前記回路基板１５及び小型回路基板１５ａに対する集積回路の搭載について、図１１及び図１２を参照して説明する。
回路基板１５の表面側では、受信用の内臓アンテナ４９に対して、電気的、磁気的に分離された金属カバー６９が設けられている。
この金属カバー６９の内部には、絶縁フィルタＤＦ、低ノイズアンプ５０、ＩＦ検波器５２、波形フィルタ５４、定電圧ダイオード５５、セラミックフィルタ５６ａ，５６ｂ、第２発振器５１ｂ及びＰＬＬ周波シンセサイザ５７に備えた水晶発振子６０ａ、６０ｂ、チャンネルセレクタＣＳなどが搭載されるようになっている。
また、その他には、音量調節兼用の電源スイッチ４に対する可変抵抗器４３、電池消耗表示２８ａ及びチャンネル選択表示２８ｂに対する発光ダイオード２９、第１出力ジャック４６に対するオーディオパワーアンプ６１、エキスパンダ６６などが搭載されている。
これに対し、回路基板１５の裏面側では、マイクロコントローラユニット４８、スケルチノイズカット５３、トーンコントロール６５、オペアンプ６２ａ、６２ｂなどが搭載されている。
また、２階建て構成の小型回路基板１５ａでは、電源オン／オフ回路２４、ＤＣ／ＤＣコンバータ２５、可変コイル４５などが搭載されている。
【実施例３】
【００３６】  さらに、本発明の第３実施形態について説明するが、前述した第１実施形態及び第２実施形態と同様な構成部品には、同一符号を付して説明を省略または簡略化する。図１４は、本発明の第３実施形態に係る携帯用送受信機の外観を示した概念的な説明図である。
第３実施形態〜第６実施形態に係る携帯用送受信機は、前述した第１実施形態に係る携帯用送信機及び第２実施形態に係る携帯用受信機をそれぞれ１：１として構成するようにしたものである。なお、携帯用送信機及び携帯用受信機の内部構成などについては、前述した実施形態１及び実施形態２の構成と同様であるから、図示及び説明を省略する。
図１４において、携帯用送信機の第１入力ジャック３には、接続コード７０ａを介してマイクロホン３０が接続され、これに対する携帯用受信機側の第１出力ジャック４６には、接続コード７０ｂを介してイヤホン６３が接続されている。したがって、携帯用受信機側では、イヤホン６３から携帯用送信機側のマイクロホン３０からの音声などを聴くことができる。
また、図１５は、本発明の第４実施形態に係る携帯用送受信機を概念的に示した説明図である。この場合、第４実施形態は、第３実施形態と異なるのは、第２出力ジャック４６を利用して、例えば外部出力電源６４として縮小表示したステレオ機器が接続されたことにある。この場合は、ステレオ機器から高音質で聴くことができる。
さらに、図１６は、本発明の第５実施形態に係る携帯用送受信機を概念的に示した説明図である。第５実施形態は、第３実施形態と異なるのは、第２入力ジャック８を利用して、例えば外部入力電源３１として縮小表示したＭＤプレーヤが接続されたことにある。この結果、ＭＤ本来の高音質の音響、音楽などを、イヤホン６３から聴くことができる。
また、図１７は、本発明の第６実施形態に係る携帯用送受信機を概念的に示した説明図である。第６実施形態は、第５実施形態と異なるのは、第２出力ジャック４７を利用して、例えば外部出力電源６４として縮小表示したステレオ機器が接続されたことにある。この場合は、ステレオ機器から高音質で聴くことができる。【００３７】  なお、本発明の携帯用送受信機については、図１４〜図１７では、携帯用送信機及び携帯用受信機の１：１の組合せで説明している。しかし、これらの場合に限らずマルチチャンネル方式を採用できることは勿論である。マルチチャンネル方式によれば、同時通訳なども容易に適用できる。これは、携帯用受信機側で、チャンネルスイッチ７の切換えをすれば、チャンネル選択表示４５ｂの機能に従って表示窓５から色別できるからである。
【図面の簡単な説明】
【００３８】
【図１】  本発明の第１実施形態に係る携帯用送信機の外観を示す概念的な斜視図である。
【図２】  携帯用送信機を示す背面図である。
【図３】  電池蓋を取り外した状態を示す携帯用送信機の背面図である。
【図４】  電池蓋を拡大して示す説明図であって、図４（ａ）は、正面図、図４（ｂ）は、背面図、図４（ｃ）は、右側面図である。
【図５】  図２中のＡ−Ａ線に沿って得られる断面図であって、内部を省略した説明図である。
【図６】  箱形本体の半割り部材内に送信用の回路基板を組込んだ状態を示す説明図である。
【図７】  回路基板の裏面側を示した背面図である。
【図８】  本発明の携帯用送信機における集積回路の概念を示すブロック図である。
【図９】  逆流防止機能を付加した電源オン／オフ回路の配線図である。
【図１０】  本発明の第２実施形態に係る携帯用受信機の外観を示す概念的な斜視図である。
【図１１】  箱形本体の半割り部材内に受信用の回路基板を組込んだ状態を示す概念的な説明図である。
【図１２】  回路基板の裏面側を示した背面図である。
【図１３】  本発明の携帯用受信機における集積回路の概念的な原理を示すブロック図である。
【図１４】  本発明の第３実施形態に係る携帯用送信機を示す概念的な斜視図である。
【図１５】  本発明の第４実施形態に係る携帯用送信機を示す概念的な斜視図である。
【図１６】  本発明の第５実施形態に係る携帯用送信機を示す概念的な斜視図である。
【図１７】  本発明の第６実施形態に係る携帯用送信機を示す概念的な斜視図である。
【符号の説明】
【００３９】  １  箱形本体
３  第１入力ジャック
４  電源スイッチ
５  表示窓
６  送話口
７  チャンネルスイッチ
８  第２入力ジャック
９  電池蓋
１０  電池ボックス
１５  回路基板
１６ａ  小型回路基板
１７  第１区画
１８  第２区画
２４  電源オン／オフ回路
２５  ＤＣ／ＤＣコンバータ
２７  ＶＯＣユニット
２８  電池消耗表示
２８ａ  電池消耗表示
２８ｂ  チャンネル選択表示
２９  発光ダイオード
３０  マイクロホン
３１  外部入力電源
３３  内臓マイク
４１  送信用の内臓アンテナ
４６  第１出力ジャック
４７  第２出力ジャック
４８  マイクロコントローラユニット
６３  イヤホン
６４  外部出力電源
【図１】
2006295865.tif 000003
【図２】
2006295865.tif 000004
【図３】
2006295865.tif 000005
【図４】
2006295865.tif 000006
【図５】
2006295865.tif 000007
【図６】
2006295865.tif 000008
【図７】
2006295865.tif 000009
【図８】
2006295865.tif 000010
【図９】
2006295865.tif 000011
【図１０】
2006295865.tif 000012
【図１１】
2006295865.tif 000013
【図１２】
2006295865.tif 000014
【図１３】
2006295865.tif 000015
【図１４】
2006295865.tif 000016
【図１５】
2006295865.tif 000017
【図１６】
2006295865.tif 000018
【図１７】
2006295865.tif 000019